(57)【要約】【課題】簡単な構成で商用電源の電源線が接続される端子台と他の回路部品とを絶縁できる電気機器を提供する。【解決手段】インターホン装置のケースは、前面が開口した略箱状のベース２と、ベース２の開口を塞ぐようにベース２の前面に被着されるカバーとで構成される。ケースの内部には、電源線が接続される端子台６０と、端子台６０を介して供給される商用電源の電源電圧を電気回路の動作電圧に変換する電源ブロック及び電気回路の回路部品とを実装した主回路基板１１が収納されている。端子台６０は主回路基板１１のベース２との対向面に実装されており、端子台６０の実装部位の周りには主回路基板１１を厚み方向に貫通するスリット１１ｃ，１１ｄを形成してあり、ベース２の底壁からスリット１１ｃ，１１ｄ内に挿入されて主回路基板１１の反対側に突出する絶縁壁２２ａ，２２ｂを突設してある。【選択図】　　　図１
2004063699.tif 000002
【特許請求の範囲】
【請求項１】
電源線が接続される端子台と、端子台を介して供給される商用電源の電源電圧を電気回路の動作電圧に変換する電源ブロックと、電気回路及び電源ブロックの回路部品と端子台とが実装される回路基板と、回路基板を収納するケースとを備え、当該ケースを、前面が開口した略箱状のベースと、ベースの開口を塞ぐようにしてベースの前面に被着されるカバーとで構成し、上記回路基板に上記端子台を実装すると共に、端子台の実装部位の周りに回路基板を厚み方向に貫通するスリットを形成し、ベースの底壁或いはカバーの底壁の少なくとも何れか一方からスリット内に挿入されて回路基板の反対側に突出する絶縁壁を突設したことを特徴とする電気機器。
【請求項２】
上記スリットは、端子台の実装部位の近傍に位置する回路部品と前記実装部位との間に形成されたことを特徴とする請求項１記載の電気機器。
【請求項３】
上記ケースに取り付けられた電気部品と回路基板との間を電気的に接続するリード線を、電源ラインから遠ざけて配線するための位置決め手段を上記ケースに設けたことを特徴とする請求項１記載の電気機器。
【請求項４】
上記リード線がケースに取り付けられたマイクと回路基板との間を電気的に接続していることを特徴とする請求項３記載の電気機器。
【請求項５】
上記リード線が弱電配線用であることを特徴とする請求項３記載の電気機器。
【請求項６】
通話のためのマイク及びスピーカを備え、上記電気回路にインターホン通話を行う機能を持たせて成ることを特徴とする請求項３記載の電気機器。
【請求項７】
上記リード線がマイク又はスピーカの何れかと回路基板との間を電気的に接続することを特徴とする請求項６記載の電気機器。
【請求項８】
ボディ又はカバーの内の少なくとも何れか一方の底面から立設されたボス部とその側壁とを連結する補強用のリブで上記位置決め手段を兼用し、当該リブに一端側が開放されたリード線挿通用の通し溝を形成したことを特徴とする請求項３乃至請求項７の何れか１つに記載の電気機器。
【発明の詳細な説明】
【０００１】
【発明の属する技術分野】
本発明は、商用電源からの電源供給により動作する電気機器に関するものである。
【０００２】
【従来の技術】
この種の電気機器としては、例えば特開平１１−６７３７７号公報に示されるようなハンズフリー機能付きのインターホン装置があり、このインターホン装置では、ベースとカバーとで構成されるケースの内部にインターホン通話のための回路を形成した回路基板を収納してある。このインターホン装置は、商用電源の供給を受け、商用電源電圧を内蔵した電源ブロックで内部回路の動作電圧に変換しているので、ケースの内部に商用電源の電源線が接続される端子台を納装している。
【０００３】
【発明が解決しようとする課題】
上記構成の電気機器では、回路基板を構成する回路部品と端子台との絶縁距離を確保するために、回路基板を貫通する開口内に端子台を配置し、端子台の端子を接続する基板を別に設け、ケースと一体に設けた固定部材で端子台を固定しており、構造が複雑で、組立の手間がかかるという問題があった。
【０００４】
本発明は上記問題点に鑑みて為されたものであり、その目的とするところは、簡単な構成で商用電源の電源線が接続される端子台と他の回路部品とを絶縁できる電気機器を提供することにある。
【０００５】
【課題を解決するための手段】
上記目的を達成するために、請求項１の発明では、電源線が接続される端子台と、端子台を介して供給される商用電源の電源電圧を電気回路の動作電圧に変換する電源ブロックと、電気回路及び電源ブロックの回路部品と端子台とが実装される回路基板と、回路基板を収納するケースとを備え、当該ケースを、前面が開口した略箱状のベースと、ベースの開口を塞ぐようにしてベースの前面に被着されるカバーとで構成し、上記回路基板に上記端子台を実装すると共に、端子台の実装部位の周りに回路基板を厚み方向に貫通するスリットを形成し、ベースの底壁或いはカバーの底壁の少なくとも何れか一方からスリット内に挿入されて回路基板の反対側に突出する絶縁壁を突設したことを特徴とする。
【０００６】
請求項２の発明では、請求項１の発明において、上記スリットは、端子台の実装部位の近傍に位置する回路部品と前記実装部位との間に形成されたことを特徴とする。
【０００７】
請求項３の発明では、請求項１の発明において、上記ケースに取り付けられた電気部品と回路基板との間を電気的に接続するリード線を、電源ラインから遠ざけて配線するための位置決め手段を上記ケースに設けたことを特徴とする。
【０００８】
請求項４の発明では、請求項３の発明において、上記リード線がケースに取り付けられたマイクと回路基板との間を電気的に接続していることを特徴とする。
【０００９】
請求項５の発明では、請求項３の発明において、上記リード線が弱電配線用であることを特徴とする。
【００１０】
請求項６の発明では、請求項３の発明において、通話のためのマイク及びスピーカを備え、上記電気回路にインターホン通話を行う機能を持たせて成ることを特徴とする。
【００１１】
請求項７の発明では、請求項６の発明において、上記リード線がマイク又はスピーカの何れかと回路基板との間を電気的に接続することを特徴とする。
【００１２】
請求項８の発明では、請求項３乃至請求項７の何れか１つに記載の発明において、ボディ又はカバーの内の少なくとも何れか一方の底面から立設されたボス部とその側壁とを連結する補強用のリブで上記位置決め手段を兼用し、当該リブに一端側が開放されたリード線挿通用の通し溝を形成したことを特徴とする。
【００１３】
【発明の実施の形態】
本発明を、例えば集合住宅の各戸に設置されたインターホン装置（インターホン親器）に適用した実施形態を図１〜図２１を参照して説明する。このインターホン装置は、通話用のマイクＭＣ、スピーカＳＰ、主回路基板１１、トランス用基板１２及び端子台用基板１３などをケース１の内部に収納している。尚、以下の説明では特にことわりがない場合、図４の向きにおいて上下左右の方向を規定し、また図４の正面を前面とする。したがって、図６の右端は後端となる。
【００１４】
ケース１は、合成樹脂（例えばＡＢＳ樹脂のような熱可塑性樹脂）により前面が開口した略箱状に形成された後面側のベース２と、合成樹脂（例えばＡＢＳ樹脂のような熱可塑性樹脂）により後面が開口した略箱状に形成され、ベース２の開口を覆うようにしてベース２に被着される前面側のカバー３とを結合することにより構成される。すなわち、ベース２の底壁からは組立ねじ（図示せず）を挿通するための挿通孔２９ａが形成された複数のボス部２９が突設され、カバー３には複数のボス部２９に対応する部位にねじ穴を形成した複数のボス部３９が突設されており、ボス部２９の挿通孔２９ａ内に挿通した組立ねじをボス部３９のねじ穴に螺合することで、ベース２とカバー３とが結合される。
【００１５】
図２はベース２に部品を取り付けた状態を前面側から見た図であり、ベース２にはそれぞれプリント基板からなる主回路基板１１とトランス用基板１２と端子台用基板１３とが収納されている。トランス用基板１２には、商用電源を降圧する降圧トランス６１の入出力ピン６１ａが半田付けされている。端子台用基板１３には、図示しないドアホン子器や警報監視盤からの信号線を接続するための端子台（図示せず）やコネクタ（図示せず）が実装されている。また、主回路基板１１は略矩形板状であって、降圧トランス６１及び端子台用基板１３の配置スペースをそれぞれ切り欠いたような形状に形成されており、インターホン通話の機能を有する通話回路や、降圧トランス６１で降圧された電圧を内部回路の動作電圧に変換する電源回路（電源ブロック）を構成する回路部品や、商用電源の電源線が接続される端子台６０などが実装されている。
【００１６】
図１（ａ）に示すように、端子台６０は扁平な直方体状に形成された本体６０ａを有し、本体６０ａの下面（施工状態で下側を向く面）には一対の電線挿入口６０ｂ，６０ｂが開口している。本体６０ａの内部には、端子板（図示せず）と、電線挿入口６０ｂ，６０ｂから挿入された電源線の芯線を端子板との間で挟持するとともに、先端縁が電源線の芯線に食い込むことで抜け止めを行う錠ばね（図示せず）とを収納してあり、電線挿入口６０ｂ，６０ｂから電源線の芯線を挿入するだけで、電源線の芯線を端子板に接続できるようになっている。また、本体６０ａの内部には、錠ばねと電源線の芯線との鎖錠状態を解除する解除釦（図示せず）を収納してあり、本体６０ａの表面に設けた操作孔（図示せず）から解除釦を押操作することで、錠ばねの先端縁が電源線の芯線から離れる向きに撓められて、電源線の芯線を容易に引き抜くことができるようになっている。
【００１７】
また、端子台６０の本体６０ａ前面には、内部に収納した端子板に電気的に接続された端子ピン６０ｄが突設され、主回路基板１１におけるベース２との対向面に実装されている。端子台６０の端子ピン６０ｄは、主回路基板１１に形成された配線パターンと、主回路基板１１に半田付けされたリード線Ｌ１とを介してトランス用基板１２に接続されており、端子台６０内部の端子板は降圧トランス６１の一次巻線に電気的に接続されている（図２参照）。また、降圧トランス６１の二次巻線はリード線Ｌ２を介して主回路基板１１の電源回路に電気的に接続されている。而して、端子台６０の電線挿入口６０ｂ，６０ｂに電源線の芯線を挿入して、電源線の芯線を端子板と錠ばねとの間に挟持すれば、降圧トランス６１に商用電源が供給され、降圧トランス６１で降圧された電圧が主回路基板１１の電源回路に供給されて、内部回路の動作電圧に変換されるようになっている。
【００１８】
ところで、ベース２の底壁の略中央には主回路基板１１に実装された端子台６０の本体６０ａを挿通させる角孔状の貫通孔２１が貫設されており、貫通孔２１の開口縁からは、前方に向かって突出する四角枠状の側枠部２２と、後方に向かって突出し本体６０ａの下面以外の３つの側面を覆うコ字形の側枠部２３とがベース２と一体に形成されている。また、側枠部２２の上片及び下片の前端縁には、主回路基板１１に形成したスリット１１ｃ，１１ｄ内に挿入されて主回路基板１１の反対側に突出する絶縁壁２２ａ，２２ｂが突設されている。
【００１９】
而して、ベース２内に主回路基板１１を配置すると、端子台６０が貫通孔２１内に挿入されて、本体６０ａの側面が側枠部２２，２３で保持されると共に、本体６０ａの後面が側枠部２３の後端縁に形成した当接片２３ａと当接することで、端子台６０が位置決めされ、さらに側枠部２２の絶縁壁２２ａ，２２ｂがスリット１１ｃ，１１ｄ内に挿入されるとともに、ベース２の上部右側及び下部左側のボス部２９に設けた凸部２９ｂが主回路基板１１の丸孔１１ａと嵌合することで、主回路基板１１がベース２に位置決めされる。また、主回路基板１１には、ベース２の中央部及び下部右側のボス部２９に対応して丸孔１１ｂが形成されており、ベース２のボス部２９の挿通孔２９ａに挿通した組立ねじを、主回路基板１１の丸孔１１ａ，１１ｂに挿通して、カバー３のボス部３９に設けたねじ穴に螺合すると、ベース２とカバー３とが結合されるとともに、主回路基板１１がベース２及びカバー３に対して固定されるようになっている。ここで、主回路基板１１をベース２内に取り付けた状態では、図１（ａ）に示すように本体６０ａの側壁が側枠部２２，２３で覆われるとともに、主回路基板１１のスリット１１ｃ，１１ｄから反対側に突出する絶縁壁２２ａ，２２ｂが端子ピン６０ｄと周囲の回路部品との間に介装されるから、簡単な構成で商用電源が供給される端子ピン６０ｄと周囲の回路部品との間の絶縁距離を確保することができる。尚、本実施形態では端子台６０の実装部位と、実装部位の近傍に位置する回路部品との間の部位のみにスリット１１ｃ，１１ｄを形成しているので、スリット１１ｃ，１１ｄを必要な部位のみに形成することで、主回路基板１１の強度を大きくしている。
【００２０】
また、組立状態においては端子台６０の本体６０ａがベース２の貫通孔２１から外側に突出し、電線挿入口６０ｂ，６０ｂが外部に露出するようになっている。尚、電線挿入口６０ｂは本体６０ａの下面に開口しており、ベース２の後面における本体６０ａの下面が臨む部位には電源線の配線スペースとなる凹部２８が形成されている（図７及び図１１参照）。
【００２１】
また、ベース２の底壁には、端子台用基板１３との対向部位に、端子台用基板１３に実装された端子台及びコネクタを挿通して後面側に露出させる貫通孔２４ａ，２４ｂがそれぞれ形成されており、貫通孔２４ａ，２４ｂの開口縁の前面側には端子台及びコネクタの周囲を覆う台枠部２５がベース２と一体に形成されている。台枠部２５にはねじ穴を有するボス部２５ａ，２５ａが一体に形成されており、台枠部２５上に端子台用基板１３を載置して、端子台用基板１３に設けた２個の挿通孔（図示せず）に通した固定ねじ５１，５１をボス部２５ａ，２５ａのねじ穴に螺合することで、端子台用基板１３がベースに固定されるようになっている（図２及び図５参照）。
【００２２】
また、ベース２の上部には降圧トランス６１を納めるための収納凹部２６が形成され、さらにベース２の上側壁にはトランス用基板１２の後端縁に形成した切欠溝（図示せず）と係止して、トランス用基板１２を位置決めする位置決め用の２条のリブ２７が突設されている。
【００２３】
次にカバー３の構造を図１２〜図１９を参照して説明する。カバー３の後面には、上述したベース２のボス部２９に対応する部位に、ねじ穴が形成された複数のボス部３９を形成してある。また、スピーカＳＰが取り付けられる部位には、スピーカＳＰのコーン部分を嵌入させるための円枠３１が突設してあり、その内部には複数の音孔３１ａが穿孔されている。また、マイクＭＣが取り付けられる部位には、マイクＭＣを保持する円筒状の突起３２が突設してあり、その内部には音孔３２ａが穿孔されている。
【００２４】
ここで、カバー３の後面に立設したボス部３９が反るのを防止するため、図３及び図１３に示すように、ボス部３９をカバー３の側壁に連結する補強用のリブ３０を形成しているが、補強用のリブ３０には一端側が開放された通し溝３０ａを形成してあり、この通し溝３０ａ内にマイクＭＣからのリード線Ｌ３を通すことで、リード線Ｌ３を端子台６０と降圧トランス６１との間を接続するリード線Ｌ２（電源線）から遠ざけた位置に位置決めできるようになっており、リード線Ｌ３にノイズが重畳するのを防止して、通話品質を向上させることができる。ここに、本実施形態では補強用のリブ３０をリード線Ｌ３を位置決めする位置決め手段として兼用しているので、位置決めのための部材を別途追加する必要がない。また、本実施形態ではマイクＭＣと主回路基板１１との間を接続するリード線Ｌ３を位置決め手段により位置決めしているが、スピーカＳＰと主回路基板１１との間を接続するリード線や、弱電配線用のリード線などのリード線を位置決めするようにしても良い。また、インターホン装置を例に説明を行ったが、インターホン装置以外の電気機器において、弱電配線用のリード線やマイク或いはスピーカからのリード線などのリード線を上記位置決め手段によって電源線から離れた位置に位置決めするようにしても良く、リード線にノイズが重畳するのを防止できる。
【００２５】
また、カバー３の前面下側には前面と下面とに跨るように凹所３３が形成され、この凹所３３内に通話ハンドル５が取り付けられている。通話ハンドル５はヒンジ部（図示せず）を介してカバー３に取り付けられており、ハンズフリー通話を行う場合に通話ハンドル５を押操作すれば、両側片３４ａ，３４ａの先端が凹所３３の底壁にそれぞれ連結されたＵ字形の操作体３４が通話ハンドル５によって後方に押圧され、両側片３４ａ，３４ａが撓むことで操作体３４の後面に突設した操作突起３４ｂが主回路基板１１に実装された通話スイッチＳＷ１を押操作して通話回路を作動させ、ハンズフリー通話ができるようになっている。なお、凹所３３の底壁には、通話ハンドル５の表示部５ａに対応する部位に透孔３３ａが形成され、透孔３３ａの開口縁からは後方に突出する円錐台状の筒部３３ｂが突設されている。而して、カバー３をベース２に被せた状態では、主回路基板１１に実装された発光ダイオードＬＤ１が筒部３３ｂ内に挿通されて、通話ハンドル５の表示部５ａに対向しており、例えば通話ハンドル５を操作した時に発光ダイオードＬＤ１が点灯すると、発光ダイオードＬＤ１の光が表示部５ａを通して視認できるようになっている。
【００２６】
また、カバー３の下側壁の後縁には、主回路基板１１に実装された音量調整用のスライドスイッチＳＷ５の摘み５５を露出させるための切欠部３ａが形成されている。
【００２７】
また、カバー３の前面上部には、各種の操作釦や動作表示用の表示ランプを露設するための凹部３５が形成されている。凹部３５の底壁には、主回路基板１１にそれぞれ実装された通電表示用の発光ダイオードＬＤ２、及びロビーインターホン（図示せず）からの呼出時に点灯する呼出表示用の発光ダイオードＬＤ３に対向する部位に丸孔３６，３６が形成されており、各丸孔３６，３６の開口縁からは後方に突出する円筒状の筒部３６ａ，３６ａが突設されている。
【００２８】
また、凹部３５の底壁には、それぞれ主回路基板１１に実装され管理室の呼出時に操作する操作スイッチＳＷ２、及び、共同玄関の電気錠を解錠する際に操作する操作スイッチＳＷ３に対向する部位に丸孔３８，３８が形成されており、この丸孔３８，３８内には押釦５２，５２が前後動自在に取り付けられている。
【００２９】
また、凹部３５の下側には凹部３５よりも後退した操作凹所３５ａが形成されており、この操作凹所３５ａの底壁には主回路基板１１に実装されたディップスイッチＤＳを露出させる孔３５ｂが穿孔されている。
【００３０】
また、凹部３５の底壁略中央を凹設することで、円筒状の保持筒部３７が形成されており、この保持筒部３７内には非常警報時に押操作される非常釦５３が前後動自在に取り付けられている。
【００３１】
非常釦５３は、図２０（ａ）〜（ｄ）に示すように透光性を有する乳白色の合成樹脂により有底円筒状に形成され、筒内にコイルばね（図示せず）を納めた状態で保持筒部３７内に収納される。非常釦５３の周壁の後端縁からは、後方に突出する３つの係止爪５３ａが１２０度おきに突設されており、各係止爪５３ａを保持筒部３７の周壁から底壁にかけて開口する透孔３７ａに挿入して、透孔３７ａの端縁と係止させることで、非常釦５３の抜け止めが行われる。また、非常釦５３の周壁の後端縁には、主回路基板１１に実装された非常通報用の押釦スイッチＳＷ４と対向する部位に、押釦スイッチＳＷ４を押操作する操作片５３ｂが突設されており、この操作片５３ｂが保持筒部３７の周壁から底壁にかけて開口する透孔３７ｂを通して押釦スイッチＳＷ４の操作部と対向している。また、保持筒部３７の底壁の略中央には、主回路基板１１に実装され、非常釦５３の操作時に点灯する発光ダイオードＬＤ４を挿入するための丸孔３７ｃが開口している。而して、非常釦５３を押操作すると、非常釦５３の操作片５３ｂによって押釦スイッチＳＷ４が押圧されて、非常通報が出力されるとともに、発光ダイオードＬＤ４が点灯して、発光ダイオードＬＤ４の発光が非常釦５３を通して視認できるようになっている。
【００３２】
上述したカバー３の凹部３５は化粧カバー４によって開閉自在に覆われている。化粧カバー４は、図２１（ａ）〜（ｃ）に示すように合成樹脂（例えばＡＢＳ樹脂のような熱可塑性樹脂）により矩形板状に形成されており、押釦５２，５２及び非常釦５３をそれぞれ露出させる丸孔４３ａ〜４３ｃが穿孔され、発光ダイオードＬＤ２，ＬＤ３と対向する部位に透光部４４ａ，４４ｂが形成されている。また、化粧カバー４の上側縁には凹部３５の上部に形成した係止孔３５ｃ，３５ｃ内に挿入される係止凸片４１，４１が突設され、化粧カバー４の下側縁の略中央からは後方に突出する係止爪片４２が突設されており、係止凸片４１，４１を係止孔３５ｃ，３５ｃに挿入した状態で、係止爪片４２を凹部３５の下部中央に形成した係止孔３５ｄ内に挿入して、係止孔３５ｄの端縁に係止させることで、化粧カバー４が凹部３５に取り付けられるようになっている。。
【００３３】
尚、本実施形態ではベース２の底壁から、主回路基板１１に形成したスリット１１ｃ，１１ｄ内に挿入されて主回路基板１１の反対側に突出する絶縁壁２２ａ，２２ｂを突設しているが、カバー３の底壁から主回路基板１１に形成したスリット１１ｃ，１１ｄ内に挿入されて主回路基板１１の反対側に突出する絶縁壁２２ａ，２２ｂを突設するようにしても良い。また、カバー３のボス部３９を補強するリブ３０にリード線を位置決めするための通し溝３０ａを形成しているが、ボディ２のボス部２９を補強するためのリブにリード線を位置決めするための通し溝を形成するようにしても良い。
【００３４】
【発明の効果】
上述のように、請求項１の発明は、電源線が接続される端子台と、端子台を介して供給される商用電源の電源電圧を電気回路の動作電圧に変換する電源ブロックと、電気回路及び電源ブロックの回路部品と端子台とが実装される回路基板と、回路基板を収納するケースとを備え、当該ケースを、前面が開口した略箱状のベースと、ベースの開口を塞ぐようにしてベースの前面に被着されるカバーとで構成し、上記回路基板に上記端子台を実装すると共に、端子台の実装部位の周りに回路基板を厚み方向に貫通するスリットを形成し、ベースの底壁或いはカバーの底壁の少なくとも何れか一方からスリット内に挿入されて回路基板の反対側に突出する絶縁壁を突設したことを特徴とし、組立状態においてベース或いはカバーの底壁に突設した絶縁壁がスリット内に挿入されて、回路基板の反対側に突出し、端子台の周りに実装された回路部品と端子台との間に配置されるので、回路部品と端子台との沿面距離を長くとることができ、絶縁距離を確保しつつ回路部品と端子台との距離を短くできるから、回路基板を小型にして、小型の電気機器を実現できるという効果がある。しかも、ベース或いはカバーの底壁に突設した絶縁壁を、回路基板に設けたスリットに挿通させることで、絶縁壁を回路部品と端子台の間に配置させているので、簡単な構成で回路部品と端子台との間の絶縁距離を確保できるという効果がある。
【００３５】
請求項２の発明は、請求項１の発明において、上記スリットは、端子台の実装部位の近傍に位置する回路部品と前記実装部位との間に形成されたことを特徴とし、端子台の実装部位と端子台の近傍に位置する回路部品との間にスリットを形成しているので、絶縁が必要な部位のみにスリットを形成することで、回路基板の強度を大きくできる。
【００３６】
請求項３の発明は、請求項１の発明において、上記ケースに取り付けられた電気部品と回路基板との間を電気的に接続するリード線を、電源ラインから遠ざけて配線するための位置決め手段を上記ケースに設けたことを特徴とし、位置決め手段によりリード線を電源ラインから遠ざけて配線することで、リード線にノイズが重畳するのを防止できる。
【００３７】
請求項４の発明は、請求項３の発明において、上記リード線がケースに取り付けられたマイクと回路基板との間を電気的に接続していることを特徴とし、請求項３の発明と同様に、マイクから信号にノイズが重畳するのを防止できる。
【００３８】
請求項５の発明は、請求項３の発明において、上記リード線が弱電配線用であることを特徴とし、請求項３の発明と同様に、弱電配線用のリード線にノイズがのるのを防止できる。
【００３９】
請求項６の発明は、請求項３の発明において、通話のためのマイク及びスピーカを備え、上記電気回路にインターホン通話を行う機能を持たせて成ることを特徴とし、請求項３の発明と同様の効果を有する小型のインターホン装置を実現できるという効果がある。
【００４０】
請求項７の発明は、請求項６の発明において、上記リード線がマイク又はスピーカの何れかと回路基板との間を電気的に接続することを特徴とし、マイク又はスピーカと回路基板との間を接続するリード線にノイズが重畳するのを防止できる。
【００４１】
請求項８の発明は、請求項３乃至請求項７の何れか１つに記載の発明において、ボディ又はカバーの内の少なくとも何れか一方の底面から立設されたボス部とその側壁とを連結する補強用のリブで上記位置決め手段を兼用し、当該リブに一端側が開放されたリード線挿通用の通し溝を形成したことを特徴とし、リブに形成された通し溝にリード線を通すことでリード線を位置決めでき、且つボス部の反りを防止するための補強用のリブを位置決め手段として兼用しているので、位置決め用の部材を別途設ける必要がない。
【図面の簡単な説明】
【図１】本実施形態のインターホン装置を示し、（ａ）はベースに主回路基板を組み込む前の状態の斜視図、（ｂ）はベースに主回路基板を組み込んだ状態の斜視図である。
【図２】同上を示し、ベースに主回路基板を組み込んだ状態の正面図である。
【図３】同上を示し、カバーにリード線を位置決めした状態の要部拡大斜視図である。
【図４】同上の正面図である。
【図５】同上に用いるベースの正面図である。
【図６】同上に用いるベースの側面図である。
【図７】同上に用いるベースの背面図である。
【図８】同上に用いるベースの下面図である。
【図９】同上に用いるベースを示し、図５のＣ−Ｃ断面図である。
【図１０】同上に用いるベースを示し、図５のＢ−Ｂ断面図である。
【図１１】同上に用いるベースを示し、図５のＡ−Ａ断面図である。
【図１２】同上に用いるカバーの正面図である。
【図１３】同上に用いるカバーの背面図である。
【図１４】同上に用いるカバーの下面図である。
【図１５】同上に用いるカバーを示し、図１３のＡ−Ａ断面図である。
【図１６】同上に用いるカバーを示し、図１３のＢ−Ｂ断面図である。
【図１７】同上に用いるカバーを示し、図１３のＣ−Ｃ断面図である。
【図１８】同上に用いるカバーを示し、図１３のＤ−Ｄ断面図である。
【図１９】同上に用いるカバーを示し、図１３のＥ−Ｅ断面図である。
【図２０】同上に用いる非常釦を示し、（ａ）は上側から見た側面図、（ｂ）は背面図、（ｃ）は下側から見た側面図、（ｄ）は右側から見た側断面図である。
【図２１】同上に用いる化粧カバーを示し、（ａ）は正面図、（ｂ）は左側から見た側面図、（ｃ）は下面図である。
【符号の説明】
２　　ベース
１１　主回路基板
１１ｃ，１１ｄ　スリット
２２ａ，２２ｂ　絶縁壁
６０　端子台
【図１】
2004063699.tif 000003
【図２】
2004063699.tif 000004
【図３】
2004063699.tif 000005
【図４】
2004063699.tif 000006
【図５】
2004063699.tif 000007
【図６】
2004063699.tif 000008
【図７】
2004063699.tif 000009
【図８】
2004063699.tif 000010
【図９】
2004063699.tif 000011
【図１０】
2004063699.tif 000012
【図１１】
2004063699.tif 000013
【図１２】
2004063699.tif 000014
【図１３】
2004063699.tif 000015
【図１４】
2004063699.tif 000016
【図１５】
2004063699.tif 000017
【図１６】
2004063699.tif 000018
【図１７】
2004063699.tif 000019
【図１８】
2004063699.tif 000020
【図１９】
2004063699.tif 000021
【図２０】
2004063699.tif 000022
【図２１】
2004063699.tif 000023